(57)【要約】【課題】例えば、キャッチライト撮影を簡単に行えるようにする。【解決手段】撮像装置は、撮像部と、発光部とを備え、前記撮像部の撮像方向と、前記発光部の発光による光の投射方向とが異なる方向とされる。【選択図】図１２
2014153669.tif 000002
【特許請求の範囲】
【請求項１】
撮像部と、
発光部とを備え、
前記撮像部の撮像方向と、前記発光部の発光による光の投射方向とが異なる方向とされる撮像装置。
【請求項２】
前記発光部は、
第１の明るさまたは前記第１の明るさより明るい第２の明るさにより発光する
請求項１に記載の撮像装置。
【請求項３】
前記発光部は、
第１の操作に応じて、前記第１の明るさにより発光し、
第２の操作に応じて、前記第２の明るさにより発光する
請求項２に記載の撮像装置。
【請求項４】
前記第１の操作は、所定のモードを設定する操作であり、
前記第２の操作は、撮像を指示する操作である
請求項３に記載の撮像装置。
【請求項５】
前記所定のモードは、キャッチライト撮影モードであり、
前記撮像を指示する操作は、シャッターボタンを押下する操作である
請求項４に記載の撮像装置。
【請求項６】
前記発光部は、前記第１の明るさにより発光する間に前記シャッターボタンが半押しされる操作に応じて消灯する
請求項５に記載の撮像装置。
【請求項７】
補助光部を備え、
前記シャッターボタンが半押しされる操作に応じて前記補助光部が発光する
請求項５に記載の撮像装置。
【請求項８】
前記投射方向は、前記撮像部の背面方向である
請求項１に記載の撮像装置。
【請求項９】
前記投射方向が変更可能とされる
請求項１に記載の撮像装置。
【請求項１０】
前記発光部が垂直方向および水平方向の少なくとも一方に可動とされる
請求項１に記載の撮像装置。
【請求項１１】
筐体を備え、
前記発光部が前記筺体に着脱自在とされる
請求項１に記載の撮像装置。
【請求項１２】
前記発光部は、ＬＥＤ(Light Emitting Diode)である
請求項１に記載の撮像装置。
【請求項１３】
形状調節部を備え、
前記発光部の発光による光に基づく光像が、前記形状調節部により所定の形状となるように調節される
請求項１に記載の撮像装置。
【請求項１４】
撮像部の撮像方向と異なる方向に発光部の発光による光を投射し、
第１の操作に応じて、前記発光部が第１の明るさにより発光するとともに、前記撮像部を介して得られる確認画像を表示部に表示し、
第２の操作に応じて、前記発光部が前記第１の明るさより明るい第２の明るさにより発光し、該発光に略同期して前記撮像部を介して本画像を得る
撮像装置における撮像方法。
【請求項１５】
撮像装置に対して内蔵または着脱自在とされ、
前記撮像装置に対する第１の操作に応じて、第１の明るさにより発光し、前記撮像装置に対する第２の操作に応じて、前記第１の明るさより明るい第２の明るさにより発光する発光部を備える
発光装置。
【発明の詳細な説明】
【技術分野】
【０００１】
本開示は、撮像装置、撮像方法および発光装置に関する。
【背景技術】
【０００２】
人物を撮像する際に、人物の瞳に光を映り込ませる撮像手法が行われている（例えば、下記特許文献１を参照のこと）。この撮像手法は、キャッチライト撮影などと呼ばれる。
【先行技術文献】
【特許文献】
【０００３】
【特許文献１】特開２０１１−１６４１４４号公報
【発明の概要】
【発明が解決しようとする課題】
【０００４】
キャッチライト撮影を行うためには、専用の撮影室やスクリーン等の大規模な装置や、光源を所定の位置にて保持する撮影のアシスタントが必要であり、手軽にキャッチライト撮影を行うことができないという問題があった。グラフィックソフトウェアを使用して、あたかもキャッチライト撮影を行ったような疑似的な画像を得ることもできる。しかしながら、このような疑似的な画像はリアル感に欠ける整形画像処理であるうえ、画像を作成するのに時間や手間がかかるという問題があった。
【０００５】
したがって、本開示の目的の一つは、キャッチライト撮影を簡単に行うことができる撮像装置、撮像方法および発光装置に関する。
【課題を解決するための手段】
【０００６】
上述した課題を解決するために、本開示は、例えば、
撮像部と、
発光部とを備え、
撮像部の撮像方向と、発光部の発光による光の投射方向とが異なる方向とされる撮像装置である。
【０００７】
本開示は、例えば、
撮像部の撮像方向と異なる方向に発光部の発光による光を投射し、
第１の操作に応じて、発光部が第１の明るさにより発光するとともに、撮像部を介して得られる確認画像を表示部に表示し、
第２の操作に応じて、発光部が第１の明るさより明るい第２の明るさにより発光し、該発光に略同期して撮像部を介して本画像を得る
撮像装置における撮像方法である。
【０００８】
本開示は、例えば、
撮像装置に対して内蔵または着脱自在とされ、
撮像装置に対する第１の操作に応じて、第１の明るさにより発光し、撮像装置に対する第２の操作に応じて、第１の明るさより明るい第２の明るさにより発光する発光部を備える
発光装置である。
【発明の効果】
【０００９】
少なくとも一つの実施形態によれば、キャッチライト撮影を簡単に行うことができる。
【図面の簡単な説明】
【００１０】
【図１】撮像装置の外観の一例を説明するための図である。
【図２】モニタの第１の位置の一例を説明するための図である。
【図３】モニタの第２の位置の一例を説明するための図である。
【図４】図４Ａ，図４Ｂおよび図４Ｃは、発光装置の一例を説明するための図である。
【図５】発光装置の構成の一例を説明するための図である。
【図６】図６Ａは、ビデオライト発光を説明するための図であり、図６Ｂは、フラッシュ発光を説明するための図である。
【図７】撮像装置の電気的な構成の一例を説明するためのブロック図である。
【図８】ＬＥＤ駆動制御部の構成の一例を説明するための図である。
【図９】キャッチライト撮影を行う際のユーザの位置および撮像装置の位置を説明するための図である。
【図１０】発光装置に対する操作に応じて、ビデオライト発光に基づく光像の位置が変化することを説明するための図である。
【図１１】図１１Ａ，図１１Ｂおよび図１１Ｃは、瞳に映る光像の位置の変化を説明するための図である。
【図１２】フラッシュ発光およびフラッシュ発光に同期した撮像動作を説明するための図である。
【図１３】キャッチライト撮影の際の、ユーザ，撮像装置および壁部の物理的な位置関係の一例を説明するための図である。
【図１４】キャッチライト撮影の際の処理の一例を説明するためのタイミングチャートである。
【図１５】キャッチライト撮影の際の処理の一例を説明するためのシーケンスチャートである。
【図１６】形状調節部を説明するための図である。
【図１７】図１７Ａは、形状調節部の一例を説明するための図であり、図１７Ｂは、当該形状調節部を使用した場合の瞳に映る光像を説明するための図である。
【図１８】図１８Ａは、形状調節部の一例と異なる形状調節部の他の例を説明するための図であり、図１８Ｂは、当該形状調節部を使用した場合の瞳に映る光像を説明するための図である。
【図１９】図１９Ａおよび図１９Ｂは、形状調節部の一例と異なる形状調節部の他の例を説明するための図であり、図１９Ｃは、当該形状調節部を使用した場合の瞳に映る光像を説明するための図である。
【発明を実施するための形態】
【００１１】
以下、本開示の実施形態について図面を参照しながら説明する。なお、説明は、以下の順序で行う。
＜１．一実施形態＞
＜２．変形例＞
なお、以下に説明する実施形態等は本開示の好適な具体例であり、本開示の内容がこれらの実施形態等に限定されるものではない。
【００１２】
＜１．一実施形態＞
「撮像装置の外観」
図１は、本開示の撮像装置の外観の一例を示す斜視図である。撮像装置１は、主要な構成として、例えば、カメラボディ１０と、対物レンズ等のレンズが内部に配される鏡筒１１と、発光装置１２と、シャッターボタン（レリーズボタンなどとも称される）１３と、モニタ１４と、グリップ部１５と、補助光部１６とを含む。カメラボディ１０とモニタ１４とは、例えば、回転軸１７ａを有するヒンジ部１７を介して接続されている。鏡筒１１における対物レンズ等が向けられる方向が撮像方向とされる。なお、撮像装置１のカメラボディ１０に対して、他の構成（例えば、モードを切り換えるダイヤル状のスイッチ）が配設された構成でもよい。
【００１３】
カメラボディ１０は、例えば、前面と、背面と、上面と、底面と、右側面と、左側面とを有する。これらの前後左右等の方向を規定する表現は説明の便宜上のものであり、これらの方向に本開示の内容が限定されるものではない。カメラボディ１０の前面に鏡筒１１および補助光部１６が配設されている。カメラボディ１０の前面の端部がやや突出し、突出した箇所とカメラボディ１０の右側面とによりグリップ部１５が形成される。カメラボディ１０の背面側にモニタ１４が配され、カメラボディ１０の左側面に形成されたヒンジ部１７によりカメラボディ１０とモニタ１４とが接続される。カメラボディ１０の上面におけるグリップ部１５の近傍にはシャッターボタン１３が配設される。カメラボディ１０の上面における左側面の近傍の箇所に、発光装置１２が配設される。
【００１４】
鏡筒１１は、被写体からの光（光像）を取り込むレンズ窓として機能する。さらに、鏡筒１１は、被写体からの光を、カメラボディ１０の内部に配置される撮像素子に導くための撮像光学系としても機能する。鏡筒１１は、レンズ交換ボタン等を操作することにより取り外しができるように構成されてもよい。
【００１５】
鏡筒１１は、光軸に沿うように順次、配される複数のレンズからなるレンズ群を有する。レンズ群は、例えば、焦点の調節を行うためのフォーカスレンズと、変倍を行うためのズームレンズとを含む。各レンズが光軸方向に適宜、駆動されることにより焦点の調節や変倍がなされる。鏡筒１１の周面に、回転可能なリングが形成されてもよい。ズームレンズは、マニュアル操作またはオート操作によるリングの回転方向および回転量に応じて光軸方向に移動し、移動後の位置に応じたズーム倍率が設定される。鏡筒１１にフォーカス調整用のリングが設けられてもよい。ユーザは、リングを回転させることによりレンズを移動させ、マニュアルフォーカスを行うことができる。
【００１６】
発光装置１２は、発光部を含むものである。発光部は、例えば、ＬＥＤ(Light Emitting Diode)により構成される。ＬＥＤは、カメラボディ１０に内蔵されてもよく、取付部等を介してカメラボディ１０に対して着脱自在とされてもよい。ＬＥＤを発光させる回路（ドライバ）は、発光装置１２に内蔵されてもよく、カメラボディ１０に内蔵されてもよい。発光装置１２がカメラボディ１０に対して着脱自在とされてもよい。発光装置１２のＬＥＤの発光による光の投射方向は、撮像方向と異なる方向とされる。例えば、後述のキャッチライト撮影では、光の投射方向が撮像方向と略反対方向とされる。
【００１７】
発光装置１２は、例えば、キャッチライト撮影を行う際に使用される。発光装置１２のＬＥＤの発光による光が壁面等により投射され、壁面等により反射する光（バウンス光）が人物等の瞳に映り込む。瞳とは、目における白い箇所でない箇所（例えば、黒目なとど呼ばれる箇所）を意味する。発光装置１２のＬＥＤは、第１の明るさと、第１の明るさより明るい第２の明るさによる発光とが可能とされる。以下の説明において、ＬＥＤの第１の明るさによる発光をビデオライト発光と称し、ＬＥＤの第２の明るさによる発光をフラッシュ発光と称する場合がある。ＬＥＤの明るさは、例えば、Ｌｍ（ルーメン）を単位として規定されるが、他の単位によりＬＥＤの明るさが規定されてもよい。なお、発光装置１２の詳細については、後述する。
【００１８】
シャッターボタン１３は、例えば、シャッターボタン１３を途中まで押しこんだ「半押し状態」と、さらに押しこんだ「全押し状態」とが可能なボタンとして構成される。シャッターボタン１３が半押しされると、被写体の静止画を撮像するための準備動作が行われる。被写体の静止画を撮像するための準備動作としては、露出制御値の設定や焦点を検出する検出動作、補助光部の発光などが例示される。なお、半押し状態でシャッターボタン１３の押下が解除されると、準備動作が終了する。
【００１９】
半押し状態からさらにシャッターボタン１３が押しこまれ、シャッターボタン１３が全押しされると撮像が指示され、撮像素子を使用して被写体像（被写体の光像）に関する露光動作が行われる。露光動作により得られた画像データに所定の画像信号処理を施す動作が行われ、画像（適宜、本画像と称する）が得られる。本画像に対応する画像データがメモリカードや、撮像装置１の内部に設けられるハードディスク等の記憶装置に記憶される。得られた本画像がモニタ１４に表示され、本画像が適切か否かをユーザが確認できるようにしてもよい。
【００２０】
モニタ１４は、ＬＣＤ(Liquid Crystal Display)や有機ＥＬ(Electroluminescence)パネルなどにより構成される。モニタ１４には、例えば、撮像装置１の機能を設定するためのメニュー画面や、再生画像が表示される。さらに、撮像前における被写体の構図決め(フレーミング)の際には、動画的態様の確認画像がモニタ１４に表示される（ライブビュー表示）。
【００２１】
ヒンジ部１７の回転軸１７ａを中心に、モニタ１４を回転することができる。通常の撮像時には、例えば、図２に示す位置（適宜、第１の位置と称する）にモニタ１４が配される。図２に示す位置から、回転軸１７ａを軸にモニタ１４を略１８０度回転させた状態が図３により示されている。図３に示す撮像方向と、モニタ１４による表示方向とが略一致するモニタ１４の位置（適宜、第２の位置と称する）において、ユーザは、自分で自分を撮像する自分撮りを行うことができる。また、モニタ１４を第２の位置にした状態で、撮像のための補助者を必要とすること無くキャッチライト撮影を行うことができる。
【００２２】
モニタ１４の位置は、第１および第２の位置に限定されることはない。例えば、回転軸１７ａを軸にモニタ１４を略９０度回転させ、モニタ１４がカメラボディ１０の前面および背面に略直交する位置において、撮像ができるようにしてもよい。さらに、モニタ１４による表示面がカメラボディ１０の上面や下面に略平行となるように、モニタ１４の位置が移動できる構成としてもよい。
【００２３】
グリップ部１５は、撮像装置１のユーザにより把持される箇所である。フィッティング性を向上させるために、グリップ部１５の表面に凹凸が形成されていてもよい。図示は省略しているが、例えば、グリップ部１５の内部に電池収納室とカード収納室とが形成されている。電池収納室には、撮像装置１の電源である電池が収納される。電池としては、リチウムイオン２次電池等の２次電池が例示される。もちろん、１次電池でもよい。カード収納室には、撮像画像の画像データ等を記憶するためにメモリカードが着脱可能に収納される。グリップ部１５に、グリップ部１５が把持されたか否かを検出するためのセンサ等が設けられてもよい。
【００２４】
補助光部１６は、例えば、カメラボディ１０の前面における鏡筒１１に近接した位置に配設される。補助光部１６は、例えば、暗い場所におけるＡＦ(Auto Focus)を実行するためのＡＦ補助光部や被写体を接写する際の補助光部などを総称したものである。シャッターボタン１３が半押しされた状態の際に、被写体である人物の視点を注目させるために補助光部１６が発光してもよい。
【００２５】
ヒンジ部１７は、回転軸１７ａを含む。上述したように、回転軸１７ａを軸にモニタ１４を回転することができ、モニタ１４の表示方向を変更できる。
【００２６】
「発光装置について」
次に、発光装置１２の詳細について説明する。発光装置１２は、例えば、可動とされ、発光装置１２の発光素子の発光による光の投射方向を自在に変更できる。さらに、発光装置１２は、例えば、特定方向に強い光を投射可能な投光器の如く構成される。
【００２７】
図４Ａは、発光装置１２の構成の一例を示す。発光装置１２は、基台２０を有し、この基台２０から支持部２１が植立する。支持部２１に対して略円錐状の反射鏡部２２が取り付けられている。反射鏡部２２は、例えば、内部における一端側に集光レンズ２３およびＬＥＤ２４を有し、他端が開口とされた構成を有する。基台２０がカメラボディ１０の上面に固定または着脱自在とされる。基台２０に対して、例えば、クリップ状の取付部が設けられ、カメラボディ１０を狭持するようにして取付部が取り付けられてもよい。これにより、既存の撮像装置に対しても発光装置１２を取り付けることができる。
【００２８】
基台２０および支持部２１の内部には電気的な構成が収納されており、それらが撮像装置１の電気的な構成に対して接点を介して接続される。そして、撮像装置１から発光装置１２に対するコマンドが接点を介して供給され、コマンドの内容に応じてＬＥＤ２４の点灯および消灯が制御される。
【００２９】
支持部２１は傾斜をなすように可動とされる。図４Ｂに模式的に示すように、支持部２１を傾けるように動かすことにより、垂直方向（上下方向）におけるＬＥＤ２４の光の投射方向を変更できる。
【００３０】
さらに、基台２０は、例えば、ベアリング回転式の構成を有する。この構成により、支持部２１を基台２０の周方向に３６０度動かすことができ、水平方向（左右方向）におけるＬＥＤ２４の光の投射方向を変更できる。ＬＥＤ２４の光の投射方向を自在に変更できるため、キャッチライト撮影において、瞳に映り込む光像（適宜、キャッチライト光像と称する）の位置を適切な位置に設定できる。
【００３１】
なお、ユーザが発光装置１２の位置を直接、手動で調節するようにしてもよく、十字キー等を使用することにより発光装置１２の位置を間接的に調節できるようにしてもよい。例えば、十字キー（物理的なキーでもよく、タッチパネルとしてモニタ１４に表示されたものでもよい）の上下方向の操作によりＬＥＤ２４の光の投射方向を上下方向に調節し、十字キーの左右方向の操作によりＬＥＤ２４の光の投射方向を左右方向に調節できるようにしてもよい。さらに、撮像モードの設定に応じて、発光装置１２が適切な位置に自動で移動するようにしてもよい。
【００３２】
図５は、発光装置１２の各部の配置関係の一例を示す。ＬＥＤ２４の前方には、集光レンズ２３が配される。ＬＥＤ２４の発光（面発光）による光は、集光レンズ２３により集光されるとともに、反射鏡部２２の内面に形成される反射鏡により反射し、発光装置１２の前方に向かって集光される。集光レンズ２３としては、例えば、ムーンレンズが使用される。集光レンズ２３としてムーンレンズが使用される場合には、発光装置１２の前方の壁面Ｗには、略円形の光像ＯＩが映出される。なお、光像ＯＩが映出される箇所は、壁面に限らず平面若しくは略平面であればよい。さらに、集光レンズ２３の形状を変更することにより、光像ＯＩの形状を変更できる。
【００３３】
上述したように、発光装置１２のＬＥＤ２４は、ビデオライト発光またはフラッシュ発光により発光する。ビデオライト発光は連続的になされ、フラッシュ発光は瞬間的になされる。図６Ａは、ビデオライト発光に基づく光像（適宜、ビデオライト光像と称する）ＯＩ１の一例を示す。図６Ｂは、フラッシュ発光に基づく光像（適宜、フラッシュ光像と称する）ＯＩ２の一例を示す。なお、図６では理解を容易にするために壁面Ｗを黒色により示しているが、壁面Ｗの色は必ずしも黒に限られることはない。キャッチライト撮影では、フラッシュ発光に基づくフラッシュ光像ＯＩ２がキャッチライト光像として人物等の瞳に映り込む。このように、異なる明るさにより発光素子を発光するようにしているため、発光強度や発光時間の制御が容易なＬＥＤが発光素子として使用されることが好ましい。
【００３４】
一例として、ビデオライト発光時には、ＬＥＤ２４の駆動電流が２００ｍＡ（ミリアンペア）に設定され、ＬＥＤ２４を連続的に発光させる制御が行われる。フラッシュ発光時には、ＬＥＤ２４の駆動電流が６Ａ〜１２Ａの間に設定され、ＬＥＤ２４を瞬間的に発光させる制御が行われる。例えば、ＬＥＤ２４を５ｍｓｅｃ（ミリセック）〜３３ｍｓｅｃの間、瞬間的に発光させる。フラッシュ発光の発光強度は、例えば、ビデオライト発光の発光強度の数十倍に設定される。
【００３５】
なお、ビデオライト発光およびフラッシュ発光による発光の明るさは、いずれも光の安全規格（ＩＥＣ６０８２５−１）におけるクラス１を充足するように設定される。したがって、ユーザが誤って光を直視した場合でも、目の網膜に影響を与えることがなく安全である。
【００３６】
「撮像装置の電気的な構成」
次に、撮像装置１の電気的な構成の一例について説明する。図７は、撮像装置１の電気的な構成の一例を示すブロック図である。撮像装置１は、例えば、光学系３１と、撮像素子（イメージャ）３２と、アナログフロントエンド（ＡＦＥ）３３と、カメラ信号処理部３４と、記録再生処理部３５と、メモリ３６と、表示制御部３７と、モニタ３８と、システム制御部３９と、ユーザインタフェース（ＵＩ（User Interface））４０と、ＬＥＤ駆動制御部４１と、ＬＥＤ４２と、ＥＣ系駆動制御部４３と、フォーカス制御部４４と、補助光部制御部４５と、補助光部４６とを含む。
【００３７】
なお、モニタ３８は、上述したモニタ１４に対応する構成である。ＬＥＤ４２は、上述したＬＥＤ２４に対応する構成である。補助光部４６は、上述した補助光部１６に対応する構成である。
【００３８】
光学系３１は、対物レンズ、フォーカスレンズ、手振れ補正レンズ、絞り機構、メカニカルなシャッター機構を含むものである。
【００３９】
撮像素子３２は、ＣＣＤ（Charge Coupled Device）やＣＭＯＳ(Complementary Metal Oxide Semiconductor)などにより構成される。光学系３１および撮像素子３２が撮像部の一例とされる。撮像素子３２からアナログ画像データが出力される。アナログ画像データがＡＦＥ３３に入力される。
【００４０】
アナログフロントエンド３３は、ノイズ除去部、ゲインコントロール部、ＡＤ(Analog to digital)変換部などを含む。アナログフロントエンド３３からデジタル画像データが出力される。デジタル画像データがカメラ信号処理部３４に入力される。なお、撮像素子３２およびアナログフロントエンド３３が１チップで構成されてもよい。
【００４１】
カメラ信号処理部３４は、入力されるデジタル画像データに対して種々のカメラ信号処理を行う。カメラ信号処理部３４は、例えば、画角選択部、色再現特性を改善する色再現補正部、ノイズリダクションを行うノイズリダクション部、画像の諧調を適切にする諧調再現部を含む。これらの各処理ブロックによりデジタル画像データに対してカメラ信号処理が行われる。もちろん、例示した処理とは異なる公知のカメラ信号処理が行われてもよい。メモリ３６にデジタル画像データを記録する場合や、メモリ３６に記録されているデジタル画像データを再生する場合に、カメラ信号処理部３４と記録再生処理部３５との間でデジタル画像データのやりとりがなされる。
【００４２】
記録再生処理部３５は、デジタル画像データをＪＰＥＧ(Joint Photographic Experts Group)等の所定のフォーマットで圧縮し、圧縮したデジタル画像データをメモリ３６に記憶する処理を行う。さらに、記録再生処理部３５は、メモリ３６に記憶されている画像データを読み出し、画像データを伸長する処理を行う。
【００４３】
メモリ３６は、ハードディスク等の撮像装置１に内蔵されるメモリでもよく、半導体メモリ等の撮像装置１に着脱自在とされる可搬型のメモリでもよい。メモリ３６には、複数のデジタル画像データのほか、デジタル画像データの属性情報（撮像日時やフォーマット等の情報）や音楽データなどが記憶される。
【００４４】
メモリ３６に記憶されたデジタル画像データを再生する場合やライブビュー表示などがなされる場合に、カメラ信号処理部３４によりカメラ信号処理が施されたデジタル画像データが表示制御部３７に供給される。表示制御部３７は、モニタ３８を駆動するドライバとして機能する。すなわち、表示制御部３７は、入力されるデジタル画像データをモニタ３８に対応したフォーマットのビデオデータに変換し、変換したビデオデータをモニタ３８に適切なタイミングで供給する。
【００４５】
モニタ３８は、ＬＣＤ等からなり、表示制御部３７による制御に応じて所定のビデオデータを表示する。
【００４６】
システム制御部３９は、ＣＰＵ(Central Processing Unit)やＤＳＰ(Digital Signal Processor)、プログラムが格納されるＲＯＭ(Read Only Memory)やデータの一時的な記憶がなされるワークメモリ等からなり、撮像装置１の各部を制御する。システム制御部３９から撮像装置１の各部に対してコマンドが供給され、コマンドの内容にしたがって撮像装置１の各部が動作する。システム制御部３９から出力されるコマンドが、例えば、カメラ信号処理部３４を介して、もしくは、直接、各部に供給される。
【００４７】
システム制御部３９は、機能の一つとして発光条件設定部３９ａを有する。発光条件設定部３９ａは、例えば、ユーザインタフェース４０に対する所定の操作に応じて、ＬＥＤ４２の発光条件（例えば、ＬＥＤ４２の駆動電流や発光期間）を設定する。
【００４８】
ユーザインタフェース４０は、撮像装置１に対する操作のための機構を総称したものである。ユーザインタフェース４０は、例えば、上述したシャッターボタン１３を含む。モニタ３８がタッチパネルとして構成される場合は、モニタ３８はユーザインタフェース４０としても機能する。なお、ユーザインタフェース４０は、撮像装置１を遠隔操作するリモートコントローラでもよい。
【００４９】
システム制御部３９の発光条件設定部３９ａにより設定された発光条件が、カメラ信号処理部３４を介してＬＥＤ駆動制御部４１に供給される。ＬＥＤ駆動制御部４１は、ＬＥＤ４２を駆動するドライバである。ＬＥＤ駆動制御部４１は、システム制御部３９から送出された発光条件を示すコマンドに従って、ＬＥＤ４２を駆動する。ＬＥＤ駆動制御部４１による制御に応じて、ＬＥＤ４２がビデオライト発光およびフラッシュ発光により選択的に発光する。
【００５０】
発光装置１２を構成するＬＥＤ４２は、一または複数のＬＥＤ素子からなる。複数のＬＥＤ素子が使用される場合に複数のＬＥＤ素子が直列に接続されてもよいが、大きな電源電圧を必要とするため、好ましくは、複数のＬＥＤ素子が並列に接続される。ＬＥＤ４２の形状は、例えば、砲弾型とされるが、角型、円筒型等の他の形状でもよい。
【００５１】
ＬＥＤ４２は、例えば、白色ＬＥＤとして構成される。ＬＥＤにより白色を実現する方法は公知の方法を適用できる。例えば、青色ＬＥＤを黄色蛍光体の樹脂により封止することで白色ＬＥＤを実現できる。
【００５２】
システム制御部３９から送出されるコマンドが、カメラ信号処理部３４を介して、ＥＣ系駆動制御部４３に供給される。コマンドに応じてＥＣ系駆動制御部４３の各部が動作する。ＥＣ系駆動制御部４３は、例えば、ゲイン制御部と、シャッタースピード(Shutter Speed)制御部と、絞り(Iris)制御部とを含む。ゲイン制御部は、アナログフロントエンド３３のゲインコントロール部におけるゲインを適切に制御する。シャッタースピード制御部は、光学系３１に含まれるシャッターのメカニカルな機構を所定のタイミングで制御し、シャッタースピードを適切に制御する。絞り制御部は、光学系３１に含まれる絞りのメカニカルな機構を制御し、絞りの程度を適切に制御する。
【００５３】
システム制御部３９から送出されるコマンドが、カメラ信号処理部３４を介して、フォーカス制御部４４に供給される。コマンドに応じてフォーカス制御部４４が動作する。フォーカス制御部４４は、光学系３１に含まれるフォーカスレンズを適切な位置に駆動する。これにより、光学的なオートフォーカスが実現される。
【００５４】
補助光部制御部４５は、補助光部４６の発光のオン／オフを制御する。補助光部４６は、ＡＦ補助光部や接写用の補助光部などを総称したものである。
【００５５】
「ＬＥＤ駆動制御部の構成」
図８を参照して、ＬＥＤ駆動制御部４１の構成の一例について説明する。ＬＥＤ駆動制御部４１は、ＬＥＤドライバ５１と、内部抵抗としてＥＳＲを有する電気二重層キャパシタ（ＥＤＬＣ）５２とを含む構成とされる。ＬＥＤドライバ５１は、電源部５３と接続される。電源部５３は、例えば、撮像装置１の各部に電力を供給するバッテリである。ＬＥＤ４２は、アノード側が電気二重層キャパシタ５２に接続され、カソード側がＬＥＤドライバ５１に接続される。
【００５６】
ＬＥＤドライバ５１は、例えば、ＤＣ(Direct Current)−ＤＣコンバータ６１と、ドライバ制御部６２と、定電流源駆動部６３と、パワー定電流源駆動部６４とを含む構成とされる。ＤＣ−ＤＣコンバータ６１は、電源部５３の出力電圧を所定の電圧に変換し、変換後の電圧を電気二重層キャパシタ５２に供給する。これにより、電気二重層キャパシタ５２が蓄電される。
【００５７】
ドライバ制御部６２は、ＣＰＵ等からなり、定電流源駆動部６３およびパワー定電流源駆動部６４を制御する。ドライバ制御部６２は、システム制御部３９と例えば、Ｉ２Ｃシリアル通信を行う。この通信により、ドライバ制御部６２に対してＬＥＤ４２の発光条件を示すコマンドが供給される。ドライバ制御部６２は、入力されるコマンドに応じて、定電流源駆動部６３およびパワー定電流源駆動部６４を切り換える。
【００５８】
ＬＥＤ４２をビデオライト発光させるときは、定電流源駆動部６３が使用される。定電流源駆動部６３は、例えば、定電流源７１と、コンパレータ７２と、基準電圧Ｖｒｅｆ１と、定電流源７１に直列に接続される抵抗Ｒ１とを含む構成とされる。
【００５９】
ＬＥＤ４２をフラッシュ発光させるときは、パワー定電流源駆動部６４が使用される。パワー定電流源駆動部６４は、例えば、パワー定電流源８１と、コンパレータ８２と、基準電圧Ｖｒｅｆ２と、パワー定電流源８１に直列に接続される抵抗Ｒ２とを含む構成とされる。
【００６０】
ＬＥＤ駆動制御部４１の動作の一例について説明する。ＬＥＤ４２をビデオライト発光およびフラッシュ発光のいずれにより発光させるかが、システム制御部３９からドライバ制御部６２に対して指示される。ドライバ制御部６２は、システム制御部３９の指示にしたがい、定電流源駆動部６３またはパワー定電流源駆動部６４を動作させる。
【００６１】
ＬＥＤ４２をビデオライト発光させる場合には、定電流源駆動部６３をオンする制御がドライバ制御部６２によりなされる。この制御により、定電流源７１が動作し、電気二重層キャパシタ５２の電圧を使用して一定の電流がＬＥＤ４２に流れる。例えば、２００ｍＡ程度の電流がＬＥＤ４２に連続的に流れる。なお、定電流源７１と抵抗Ｒ１との中点（Ａ点）における電圧Ｖ１が基準電圧Ｖｒｅｆ１とコンパレータ７２により比較される。電圧Ｖ１は、抵抗Ｒ１を流れる電流値と抵抗Ｒ１の積により得られる。電圧Ｖ１が基準電圧Ｖｒｅｆ１を超える場合には、定電流源７１をオフする制御がなされる。
【００６２】
ＬＥＤ４２をフラッシュ発光させる場合には、パワー定電流源駆動部６４をオンする制御がドライバ制御部６２によりなされる。この制御により、パワー定電流源８１が動作し、電気二重層キャパシタ５２の電圧を使用して一定の電流がＬＥＤ４２に流れる。例えば、１０Ａ程度の電流がＬＥＤ４２に瞬間的に流れる。なお、パワー定電流源８１と抵抗Ｒ２との中点（Ｂ点）における電圧Ｖ２が基準電圧Ｖｒｅｆ２とコンパレータ８２により比較される。電圧Ｖ２は、抵抗Ｒ２を流れる電流値と抵抗Ｒ２の積により得られる。電圧Ｖ２が基準電圧Ｖｒｅｆ２を超える場合には、パワー定電流源８１をオフする制御がなされる。
【００６３】
「キャッチライト撮影の概要」
次に、キャッチライト撮影の概要の一例について説明する。始めに、撮像装置１のユーザＵは、撮像装置１のモードをキャッチライト撮影モードに設定する操作を行う。この操作は、例えば、タッチパネルとして構成されるモニタ１４に対する所定の操作によりなされる。撮像装置１のモードとしてキャッチライト撮影モードが設定されることに応じて、発光装置１２がビデオライト発光する。発光装置１２の発光のオン／オフがボタン等の操作により制御されてもよい。発光装置１２がビデオライト発光することにより、発光装置１２の光の投射方向にある壁等にビデオライト光像が映出される。ビデオライト光像は、例えば、略円形の形状とされる。
【００６４】
所定の操作に付随して、キャッチライト撮影モードが自動で設定されてもよい。例えば、撮像装置１のカメラボディ１０が把持される位置をセンサ等により検出し、所定の位置が把持される場合にキャッチライト撮影モードが自動で設定されるようにしてもよい。また、モニタ１４が第１の位置から第２の位置に変位される操作に応じて、キャッチライト撮影モードが自動で設定されるようにしてもよい。さらに、自分撮りのモードが設定される場合に、キャッチライト撮影を行うか否かを確認する表示がモニタ１４に表示されてもよい。
【００６５】
そして、図９に示すように、ユーザＵはモニタ１４を第２の位置に移動し、鏡筒１１における対物レンズを自分に向ける。モニタ１４には、ユーザＵを含む画像がライブビュー表示される。
【００６６】
次に、ユーザＵは、図１０に示すように発光装置１２の垂直方向の位置や水平方向の位置を調節しつつ、モニタ１４の表示を確認する。発光装置１２の位置を切り換えることにより、壁部Ｗに映出されるビデオライト光像の位置を変更できる。図１０では、発光装置１２をユーザＵの右方向に移動した場合のビデオライト光像の映出位置が光像ＯＩ１０として示されている。発光装置１２の光の投射方向をユーザＵの略正面にした場合のビデオライト光像の映出位置が光像ＯＩ２０として示されている。発光装置１２をユーザＵの左方向に移動した場合のビデオライト光像の映出位置が光像ＯＩ３０として例示されている。
【００６７】
なお、ユーザＵの正面でなく側面に位置する壁部等の平面にビデオライト光像が映出されてもよい。撮像装置１の背面を含む平面により空間を分割すると、キャッチライト撮影の対象となる対象者（例えばユーザＵ）が存在する空間（第１の空間）と、そうでない空間（第２の空間）とが生じる。第２の空間に存在する平面に向かう方向が撮像部の背面方向の一例であり、この方向に向けて発光装置１２が発光すればよい。
【００６８】
ビデオライト光像が壁部Ｗにより反射され、そのバウンス光がユーザＵの瞳に映り込む。発光装置１２の位置の調節にともなって、モニタ１４に表示されるユーザＵの瞳に映り込む光像の位置が変化する。図１１は、モニタ１４にライブビュー表示されるユーザＵの瞳Ｅなどを示し、瞳Ｅに映り込む光像ＥＯＩの位置の相違を模式的に示したものである。例えば、ビデオライト光像の位置が光像ＯＩ１０である場合には、図１１Ａに示すように、瞳に映り込む光像ＥＯＩ１が瞳Ｅの一端側による。例えば、ビデオライト光像の位置が光像ＯＩ２０である場合には、図１１Ｂに示すように、瞳に映り込む光像ＥＯＩ２が瞳Ｅの略中央に位置する。例えば、ビデオライト光像の位置が光像ＯＩ３０である場合には、図１１Ｃに示すように、瞳に映り込む光像ＥＯＩ３が瞳Ｅの他端側による。
【００６９】
ユーザＵは、モニタ１４に表示される確認画像を確認しながら、発光装置１２の位置を調節してビデオライト光像の位置を調節する。ビデオライト発光の際のＬＥＤ２４の発光強度は小さいため、ビデオライト光像が連続的に映出されてもユーザは眩しく感じることない。そして、ユーザＵの瞳に映り込む光像の位置が所望の位置になる位置で発光装置１２の位置調整を終了する。このとき、背景等の他の構図合わせがなされてもよい。例えば、ビデオライト光像の位置が光像ＯＩ２０の位置（瞳Ｅに映り込む光像の位置が光像ＥＯＩ２の位置）において発光装置１２に対する位置調整が終了する。なお、確認画像がモニタ１４に表示される処理と並行して、フラッシュ発光を行うための準備処理が行われる。例えば、電気二重層キャパシタ５２が蓄電される。蓄電が完了すると、ドライバ制御部６２はシステム制御部３９に対してその旨を通知する。
【００７０】
次に、ユーザＵは、シャッターボタン１３を全押しする。シャッターボタン１３を全押しする操作に応じて発光装置１２がフラッシュ発光する。図１２に示すように、ビデオライト光像ＯＩ２０と略同じ位置にフラッシュ光像ＯＩ４０が瞬間的に映出される。フラッシュ光像ＯＩ４０が壁部Ｗにより反射され、そのバウンス光がユーザＵの瞳Ｅに映り込む。さらに、シャッターボタン１３を全押しする操作に応じて撮像動作がなされ、本画像が得られる。得られた本画像は、ユーザＵの顔を含み、ユーザＵの瞳Ｅの略中央に略円形のキャッチライト光像が映り込む。
【００７１】
シャッターボタン１３の全押しが解除され、シャッターボタン１３がリリースされる。ユーザＵは得られた本画像をモニタ１４により確認し、意図したものであれば本画像をメモリ３６等に記憶する。本画像の出来映えに不満がある場合は、同様の流れで再度、キャッチライト撮影を行う。なお、ユーザＵは一人に限られず、複数でもよい。
【００７２】
図１３は、キャッチライト撮影における各部の物理的な配置の一例を示す。ユーザＵの瞳Ｅから撮像装置１までの距離Ｄ１は、例えば、２０ｃｍ（センチメートル）から３０ｃｍの範囲で設定される。撮像装置１から壁部Ｗまでの距離Ｄ２は、例えば、２０ｃｍから５０ｃｍの範囲で設定される。ユーザのＵの瞳Ｅから壁部Ｗまでの距離Ｄ３は、５０ｃｍから１ｍ（メートル）の範囲で設定される。これらの距離は一例ではあるものの、キャッチライト撮影を行う際に広大な場所を必要としない。
【００７３】
略円形のフラッシュ光像の直径ＲＯは、例えば、３０ｃｍから５０ｃｍに設定される。瞳Ｅの直径が１０ｍｍ（ミリメートル）程度とした場合、瞳Ｅに映り込む光像の直径は５ｍｍ程度になる。
【００７４】
上記例示したようにしてキャッチライト撮影が行われる。キャッチライト撮影を行う際に、スクリーンや大規模な設備、撮像の際の補助者などを必要としない。さらに、壁部等がある場所では屋外または屋内を問わず、撮像装置のユーザが手軽にキャッチライト撮影を行うことができる。
【００７５】
「キャッチライト撮影における処理の流れ」
図１４のタイミングチャートを使用して、キャッチライト撮影における処理の一例について説明する。
【００７６】
図１４Ａ〜図１４Ｅにおける横軸は、時刻の経過を示す。図１４Ａは、ユーザインタフェース４０に対する操作の有無を示す。ユーザインタフェース４０のうち、シャッターボタン１３に対する操作では、その操作の押圧力が図１４Ａの縦軸により示される。図１４Ｂは、ＬＥＤ２４の発光の有無および発光強度（発光レベル）を示す。図１４Ｃは、補助光部１６（例えば、ＡＦ補助光部）のオン／オフを示す。図１４Ｄは、モニタ１４のオン／オフを示す。図１４Ｅは、本画像を得るための露光動作の有無を示す。
【００７７】
時刻ｔ１において、ユーザインタフェース４０に対する操作がなされ、撮影モードとしてキャッチライト撮影モードが設定される（図１４Ａ）。撮影モードとしてキャッチライト撮影モードが設定される操作に応じて、発光装置１２のＬＥＤ２４がビデオライト発光する（図１４Ｂ）。さらに、モニタ１４には、例えば、撮像装置１のユーザＵを含む被写体が確認画像としてライブビュー表示される（図１４Ｄ）。なお、モニタ１４は、時刻ｔ１以前にオンされていてもよい。
【００７８】
時刻ｔ１から時刻ｔ２までの間では、ユーザＵにより発光装置１２の位置が調節される。ユーザＵは、モニタ１４に表示される確認画像を確認しつつ、瞳における光像の位置等が所望の位置になるように撮像装置１の位置や発光装置１２の位置を調節する。
【００７９】
構図決めがなされ、時刻ｔ２においてシャッターボタン１３が半押しされる（図１４Ａ）。シャッターボタン１３を半押しする操作に応じて、モニタ１４およびＬＥＤ２４が消灯する（図１４Ｂおよび図１４Ｄ）。さらに、補助光部制御部４５による制御に応じて補助光部１６が点灯する（図１４Ｃ）。補助光部１６は、連続的に点灯してもよく点滅するようにしてもよい。この制御は、キャッチライト撮影の対象者の視点を撮像装置１の対物レンズに誘導するためのものであるが、必ずしも行われる必要はない。
【００８０】
時刻ｔ３において、シャッターボタン１３が全押しされる（図１４Ａ）。シャッターボタン１３を全押しする操作に応じて、ＬＥＤ２４が瞬間的にフラッシュ発光する（図１４Ｂ）。フラッシュ発光の光が壁部等に投射され、そのバウンス光がユーザＵの瞳に映り込む。さらに、フラッシュ発光に同調したシャッター速度で露光動作が行われ、画像がキャプチャされる（図１４Ｅ）。キャプチャされた画像に対してカメラ信号処理部３４による所定のカメラ信号処理が行われ、本画像が得られる。補助光部１６は、適宜なタイミングで消灯される。
【００８１】
時刻ｔ４では、モニタ１４がオンし本画像が表示される。ユーザＵは、表示される本画像を確認し、意図に沿うものであれば当該本画像の画像データをメモリ３６に記憶する。そうでない場合は、ユーザＵは、画像データを破棄し、再度、キャッチライト撮影を行う。
【００８２】
図１５は、キャッチライト撮影における制御シーケンスの一例を示す。ユーザインタフェース４０に対してキャッチライト撮影モードを設定する操作がなされる。そして、ユーザＵは、例えば、図９に示したように撮像装置１の撮像方向を自分に向ける。キャッチライト撮影モードを設定する操作に応じた操作信号がシステム制御部３９に供給される（ステップＳ１）。操作信号に応じて、システム制御部３９はキャッチライト撮影を行うための各種の機能をオンする（ステップＳ２）。機能の一例は順次、説明する。
【００８３】
システム制御部３９は、顔認識機能および構図決め機能をオンするためのコマンドを生成し、生成したコマンドをカメラ信号処理部３４に供給する（ステップＳ３）。コマンドに応じて、カメラ信号処理部３４は顔認識や顔位置の調整、顔位置に応じた画角の拡大および縮小等の構図決めの処理を行う（ステップＳ４）。これらの処理は、予め規定されたアルゴリズムに従って行われる。
【００８４】
そして、システム制御部３９は、ＬＥＤ２４と補助光部１６とモニタ１４とを制御する（ステップＳ５）。システム制御部３９における発光条件設定部３９ａがビデオライト発光の条件を示すコマンドを生成する。このコマンドがシステム制御部３９からＬＥＤ駆動制御部４１に供給される。ＬＥＤ駆動制御部４１は、コマンドにしたがってＬＥＤ２４の駆動電流を制御し、ＬＥＤ２４をビデオライト発光させる（ステップＳ６）。
【００８５】
さらに、システム制御部３９は、カメラ信号処理部３４によりカメラ信号処理がなされた画像データを表示制御部３７に供給する制御を行う。そして、システム制御部３９は、表示制御部３７に対して画像データのモニタ１４への表示を指示する。ここで、モニタ１４がオフされている場合には、モニタ１４に対して電力を供給する制御がシステム制御部３９により行われ、モニタ１４がオンする。以上の制御により、ユーザＵを含む確認画像がモニタ１４にライブビュー表示される（ステップＳ７）。ユーザＵは確認画像を確認しつつ、全体の構図および瞳に映り込む光像の位置が所望の位置となるように、発光装置１２の位置を調節する。
【００８６】
構図が決定されると、シャッターボタン１３が半押しする操作がなされる（ステップＳ８）。この操作に基づく操作信号がシステム制御部３９に供給される。システム制御部３９は、ＬＥＤ駆動制御部４１に対してＬＥＤ２４を消灯するコマンドを送出する。ＬＥＤ駆動制御部４１はコマンドに応じてＬＥＤ２４のビデオライト発光を終了し、ＬＥＤ２４を消灯させる（ステップＳ９）。
【００８７】
さらに、システム制御部３９は、補助光部制御部４５に対して補助光部１６の点灯を指示するコマンドを送出する。補助光部制御部４５は、コマンドにしたがって補助光部１６を点灯する（ステップＳ１０）。さらに、システム制御部３９は、モニタ１４を消灯するためのコマンドを表示制御部３７に送出する。コマンドにしたがって、表示制御部３７はモニタ１４を消灯する（ステップＳ１１）。
【００８８】
そして、シャッターボタン１３が全押しされる（ステップＳ１２）。この操作に基づく操作信号がシステム制御部３９に供給される。システム制御部３９における発光条件設定部３９ａがフラッシュ発光の発光条件を示すコマンドを生成する。このコマンドがシステム制御部３９からＬＥＤ駆動制御部４１に供給される。ＬＥＤ駆動制御部４１は、コマンドにしたがってＬＥＤ２４の駆動電流を制御し、ＬＥＤ２４をフラッシュ発光させる（ステップＳ１３）。
【００８９】
さらに、ＬＥＤ２４のフラッシュ発光に同調したシャッター速度で撮像がなされる。光学系３１および撮像素子３２を介して得られるアナログ画像データに対してアナログフロントエンド３３による処理が行われる。アナログフロントエンド３３による処理が行われたデジタル画像データに対してカメラ信号処理部３４によるカメラ信号処理が行われ、本画像が得られる（ステップＳ１４）。フラッシュ発光に同調した撮像により、本画像におけるユーザＵの瞳にはキャッチライト光像が映り込む。なお、ステップＳ１０において点灯された補助光部１６は適宜なタイミングで消灯される（ステップＳ１５）。
【００９０】
シャッターボタン１３の全押しが解除される。撮像により得られた本画像がモニタ１４に表示される（ステップＳ１６）。モニタ１４に表示された本画像をユーザＵが確認し、キャッチライト光像の位置が意図に沿ったものであるか否か等を確認する。
【００９１】
なお、図示は省略しているが、上述した制御シーケンスにおいて公知の制御が行われてもよい。例えば、シャッターボタン１３を半押しする操作に応じて、オートフォーカスを実現する制御がなされてもよい。
【００９２】
＜２．変形例＞
以上、本開示の実施形態について具体的に説明したが、本開示は、上述の実施形態に限定されるものではなく、本開示の技術的思想に基づく各種の変形が可能である。
【００９３】
「形状補正部について」
例えば、瞳に映り込むキャッチライト光像の形状は円形に限られない。キャッチライト光像の形状を円形とは異なる形状にするための構成の一例について説明する。
【００９４】
図１６に示すように、ＬＥＤ２４の光の投射方向には集光レンズ９１が配される。ＬＥＤ２４の周囲は、内面に反射鏡を有する反射鏡部９２および９３が配される。反射鏡部９２および９３は、別体でもよく放物線を描くように一体的に構成されてもよい。さらに、ＬＥＤ２４の光の投射方向に形状補正部９４を設けるように発光装置１２を構成する。形状補正部９４によりキャッチライト光像の形状を所定の形状に補正できる。
【００９５】
図１７Ａは、形状補正部９４の一例であるレンズ１００を示す。レンズ１００は、例えば、同心円状の凸レンズにより構成される。具体的には、半径方向における曲率が大とされ（約５００〜８００ｍｍ）、半径の１／２点が最大厚とされ、光軸が中心軸に対し周縁方向に等角度の傾きをもつドーナツ形状のシリンドリカル凸レンズとしてレンズ１００が構成される。レンズ１００を通過したＬＥＤ２４の光により、壁部の壁面にはリング形状の光像が映出する。
【００９６】
レンズ１００を使用した場合の瞳Ｅに映り込むキャッチライト光像ＥＯＩは、図１７Ｂに示すようにリング形状となる。
【００９７】
図１８Ａは、形状補正部９４の他の例であるレンズ１１０を示す。レンズ１１０は、例えば、曲率大な４枚の凸レンズ（１１０ａ，１１０ｂ，１１０ｃおよび１１０ｄ）から構成される。具体的には、曲率が大（約５００〜８００ｍｍ）とされる４枚の凸レンズを中心から周縁の十字方向にオフセット傾きをもって組み合せることにより、レンズ１１０が構成される。レンズ１１０を通過したＬＥＤ２４の光により、壁部の壁面には上下左右方向に略矩形の４個の光像が映出する。
【００９８】
レンズ１１０を使用した場合の瞳Ｅに映り込むキャッチライト光像ＥＯＩは、図１８Ｂに示すように上下左右方向の４個の光像となる。
【００９９】
形状補正部の構成毎に発光装置を設け、発光装置を撮像装置に対して交換可能とすることにより、ユーザは好みのキャッチライト光像によるキャッチライト撮影を行うことができる。
【０１００】
形状補正部９４が発光装置１２と必ずしも一体的に構成される必要はない。図１９により示される撮像装置２は、キセノンストロボおよびＬＥＤの少なくとも一方からなるポップアップ型の光源を有する。光源の前方に、形状補正部９４の一例である円筒型の凹面鏡１２０を配置する。
【０１０１】
凹面鏡１２０は、図１９Ｂに示すように３分割された円筒型の凹面鏡１２０ａ，１２０ｂおよび１２０ｃからなる。３分割された各凹面鏡とそこで集光機能をもたせる凹面鏡曲率は、キセノンストロボ発光部が通常のキセノンストロボ発光撮影時に約１ｍ先で撮像画角範囲内の平面を照射する投光配光分布となる光学設計とする。さらに、キャッチライト撮影時には、３分割された各凹面鏡でキセノンストロボの前面から放射される発光光束を対物レンズの向きとは反対方向に反射させ、より近距離（約０．５ｍ）先の壁面に集光させる曲率半径の光学設計とする。この結果、それぞれの３つの略四角の光像として集光結像される凹面鏡を実現できる。
【０１０２】
中央の凹面鏡１２０ａは、光軸に対してやや上向く（例えば、２０度程度）ように配される。両側の凹面鏡１２０ｂおよび１２０ｃは光軸にして略９０度をなすように配される。この角度の配置の結果、略四角の３つの光の点が壁面に映出し、中央の光の点がトップ位置となる山型のデザインの光像が壁面に映出する。この光像に基づくバウンス光がキャッチライト光像としてユーザの瞳に映り込む。
【０１０３】
なお、凹面鏡毎にＭＥＭＳ(Micro-Electro-Mechanical Systems)素子を設け、ＭＥＭＳ素子を使用して各凹面鏡を駆動することにより凹面鏡による上下の反射角度を変更できる。凹面鏡を駆動して１軸方向あるいは２軸方向に角度を変更する制御をなし、壁面に映出される３点の光像を、例えば、左上から右下に、あるいは、右上から左下へ一列に整列するデザインとすることもできる。
【０１０４】
凹面鏡１２０は、取付部等により鏡筒１１に嵌合されて取り付けられる。取付部は、例えば、可逆弾力性のある高分子材料（プラスチック等）からなり、形状がリング状とされる。凹面鏡１２０により反射された光により、壁面Ｗには、例えば、３個の光像（１３０ａ，１３０ｂ，１３０ｃ）が映出される。
【０１０５】
凹面鏡１２０を使用した場合の瞳Ｅに映り込むキャッチライト光像ＥＯＩは、図１９Ｃに示すように３個の光像となる。各光像の位置は、各凹面鏡の位置を調節することにより変更できる。
【０１０６】
横方向に線状の発光体を有するキセノンストロボ発光管の背面から上下方向の側面にかけて放物線型の凹面鏡集光ミラーを配し、キセノンストロボ発光管の前面にフレネルレンズを配する構成としてもよい。フレネルレンズを配することにより、キセノンストロボの発光時の縞状のまだらな発光を均一化できる。ストロボは高電圧駆動（例えば、４ｋＶ）により発光するため安全性に考慮する必要がある。このため、キセノンストロボ発光管そのものを、撮像装置のレンズの向きと反対の向きに回転する構成はとらないことが好ましい。また、キセノンストロボ発光管の発光部の前方に上記した凹面鏡集光ミラーを配することにより、撮像装置の対物レンズとは反対の向き（撮影者から見て前面の壁面）に向かって３個の光像を映出することができる。
【０１０７】
「その他の変形例」
上述した実施形態では、撮像装置の操作者とキャッチライト撮影の対象者が一致しているが、必ずしも一致する必要はない。また、ユーザが撮像装置を手で持ってキャッチライト撮影を行うようにしているが、例えば、撮像装置を三脚に固定し、ユーザがリモートコントロール装置を使用して発光装置の位置や撮像装置の動作を制御するようにしてもよい。
【０１０８】
上述した実施形態では、撮像装置のモニタがヒンジ部の回転軸を軸に水平方向に移動するようにしたが垂直方向に移動する構成としてもよい。また、モニタの可動機構はヒンジに限定されない。モニタが例えば、上下方向にスライドするようにしてもよい。撮像装置のモニタが固定とされ、撮像装置の前面側にさらにモニタやミラーが配設される構成としてもよい。発光装置の位置は、カメラボディの上面に限定されず、適宜な位置とすることができる。なお、キャッチライト撮影時におけるモニタの位置は、発光装置の位置に対応してＬＥＤの光の光路を妨げない位置に設定される。
【０１０９】
発光装置における発光部としては、好ましくはＬＥＤが使用されるがストロボが使用されてもよい。また、ＬＥＤおよびストロボを２灯の構成としてもよい。この場合は、ＬＥＤの駆動回路およびストロボ発光用の駆動回路を撮像装置に設ける。そして、それぞれの駆動回路を切り換え、ＬＥＤを使用してビデオライト発光を行い、ストロボを使用してフラッシュ発光を行う。なお、ストロボ発光用の駆動回路は、単電圧方式でもよく倍電圧方式でもよく、公知の駆動回路を使用できる。
【０１１０】
ＬＥＤが、第１の明るさおよび第２の明るさと異なる明るさにより発光するようにしてもよい。ＬＥＤの駆動電流を制御するようにより、ＬＥＤの発光強度を適宜、変更できる。また、ＬＥＤは、通常の撮影時のフラッシュとして使用されてもよい。
【０１１１】
画像におけるキャッチライト光像の位置および瞳の位置を検出し、瞳の所定位置（例えば、中央）にキャッチライト光像がくるように、発光装置の位置を調節する方向をガイドしてもよい。ガイドはモニタによる表示でもよく、音声でもよく、これらの組み合せたものでもよい。
【０１１２】
本開示における撮像装置は、携帯電話やスマートフォン、タブレット型のコンピュータ等に備え付けられたものであってもよい。キャッチライト撮影の対象者は、人物に限らず動物でもよい。
【０１１３】
さらに、本開示は、装置に限らず、方法、プログラム、プログラムが記録された記録媒体として実現することができる。
【０１１４】
なお、実施形態および変形例における構成および処理は、技術的な矛盾が生じない範囲で適宜組み合わせることができる。例示した処理の流れにおけるそれぞれの処理の順序は、技術的な矛盾が生じない範囲で適宜、変更できる。
【０１１５】
本開示は、例示した処理が複数の装置によって分散されて処理される、いわゆるクラウドシステムに対して適用することもできる。実施形態および変形例において例示した処理が実行されるシステムであって、例示した処理の少なくとも一部の処理が実行される装置として、本開示を実現することができる。
【０１１６】
本開示は、以下の構成をとることもできる。
（１）
撮像部と、
発光部とを備え、
前記撮像部の撮像方向と、前記発光部の発光による光の投射方向とが異なる方向とされる撮像装置。
（２）
前記発光部は、
第１の明るさまたは前記第１の明るさより明るい第２の明るさにより発光する
（１）に記載の撮像装置。
（３）
前記発光部は、
第１の操作に応じて、前記第１の明るさにより発光し、
第２の操作に応じて、前記第２の明るさにより発光する
（２）に記載の撮像装置。
（４）
前記第１の操作は、所定のモードを設定する操作であり、
前記第２の操作は、撮像を指示する操作である
（３）に記載の撮像装置。
（５）
前記所定のモードは、キャッチライト撮影モードであり、
前記撮像を指示する操作は、シャッターボタンを押下する操作である
（４）に記載の撮像装置。
（６）
前記発光部は、前記第１の明るさにより発光する間に前記シャッターボタンが半押しされる操作に応じて消灯する
（１）乃至（５）のいずれかに記載の撮像装置。
（７）
補助光部を備え、
前記シャッターボタンが半押しされる操作に応じて前記補助光部が発光する
（５）または（６）に記載の撮像装置。
（８）
前記投射方向は、前記撮像部の背面方向である
（１）乃至（７）のいずれかに記載の撮像装置。
（９）
前記投射方向が変更可能とされる
（１）乃至（８）のいずれかに記載の撮像装置。
（１０）
前記発光部が垂直方向および水平方向の少なくとも一方に可動とされる
（１）乃至（９）のいずれかに記載の撮像装置。
（１１）
筐体を備え、
前記発光部が前記筺体に着脱自在とされる
（１）乃至（１０）のいずれかに記載の撮像装置。
（１２）
前記発光部は、ＬＥＤ(Light Emitting Diode)である
（１）乃至（１１）のいずれかに記載の撮像装置。
（１３）
形状調節部を備え、
前記発光部の発光による光に基づく光像が、前記形状調節部により所定の形状となるように調節される
（１）乃至（１２）のいずれかに記載の撮像装置。
（１４）
撮像部の撮像方向と異なる方向に発光部の発光による光を投射し、
第１の操作に応じて、前記発光部が第１の明るさにより発光するとともに、前記撮像部を介して得られる確認画像を表示部に表示し、
第２の操作に応じて、前記発光部が前記第１の明るさより明るい第２の明るさにより発光し、該発光に略同期して前記撮像部を介して本画像を得る
撮像装置における撮像方法。
（１５）
撮像装置に対して内蔵または着脱自在とされ、
前記撮像装置に対する第１の操作に応じて、第１の明るさにより発光し、前記撮像装置に対する第２の操作に応じて、前記第１の明るさより明るい第２の明るさにより発光する発光部を備える
発光装置。
【符号の説明】
【０１１７】
１，２・・・撮像装置
１０・・・カメラボディ
１２・・・発光装置
１３・・・シャッターボタン
１４，３８・・・モニタ
１６・・・補助光部
２４，４２・・・ＬＥＤ
９４・・・形状調節部
１００・・・レンズ
１１０・・・レンズ
１２０・・・凹面鏡
【図１】
2014153669.tif 000003
【図２】
2014153669.tif 000004
【図３】
2014153669.tif 000005
【図４】
2014153669.tif 000006
【図５】
2014153669.tif 000007
【図７】
2014153669.tif 000008
【図８】
2014153669.tif 000009
【図９】
2014153669.tif 000010
【図１０】
2014153669.tif 000011
【図１１】
2014153669.tif 000012
【図１２】
2014153669.tif 000013
【図１３】
2014153669.tif 000014
【図１４】
2014153669.tif 000015
【図１５】
2014153669.tif 000016
【図１６】
2014153669.tif 000017
【図１８】
2014153669.tif 000018
【図１９】
2014153669.tif 000019
【図６】
2014153669.tif 000020
【図１７】
2014153669.tif 000021